【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
以下のサーバ用コンピュータプログラムによりプログラムされた、サービス提供用サーバコンピュータであって、
前記プログラムは、前記コンピュータにより実行されると以下のステップからなる方法を実行するように当該コンピュータを制御し、前記方法は、
携帯情報端末に対して、ネットワークを介して、所定サービスへの加入申込みのための申込み文書データを送信するステップと、
携帯情報端末から、前記申込み文書データに基づく返信を受信したことに応答して、当該携帯情報端末が前記申込み文書データの送付先の携帯情報端末か否かを識別し、アカウント識別情報により一意に識別されるアカウントを生成し当該携帯情報端末に割当てるステップと、
当該携帯情報端末に対して前記サービスを提供するために必要なアカウント情報を生成するステップと、
前記ネットワークを介して前記携帯情報端末に前記アカウント識別情報を送信するステップと、
前記携帯情報端末と異なる装置から前記アカウント識別情報を受信したことに応答して、当該アカウント識別情報に対応するアカウント情報を前記他の装置に送信するステップとを含む、サービス提供用サーバコンピュータ。
【請求項２】
前記携帯情報端末には、前記ネットワーク上で当該携帯情報端末に電子メールを送信するためのメールアドレスが割当てられており、
前記方法はさらに、前記申込み文書を送信するステップに先立ち、前記携帯情報端末から当該携帯情報端末のメールアドレスを含むメッセージを受信するステップを含み、
前記装置に送信されるアカウント情報は、前記アカウント識別情報に対応するアカウントが割当てられた携帯情報端末のメールアドレスを含む、請求項１に記載のサーバコンピュータ。
【請求項３】
前記方法は、
前記他の装置から、前記アカウント識別情報と関係付けて当該装置の個体を識別する個体識別情報を受信するステップと、
前記装置から受信した個体識別情報を、前記装置から受信した前記アカウント識別情報に対応するアカウント情報に格納するステップとをさらに含む、請求項１又は請求項２に記載のサービス提供用サーバコンピュータ。
【請求項４】
前記アカウント情報を生成するステップは、
前記アカウントに対応するユーザが前記所定のサービスを利用するためのサービス利用のためのメールアカウントを所定のメールサーバに作成するステップと、
前記メールアカウントに対してアクセスするために必要な情報と、前記アカウント識別情報とを含むアカウント情報を生成するステップとを含む、請求項１〜請求項３のいずれかに記載のサービス提供用サーバコンピュータ。
【請求項５】
前記方法は、
前記申込み文書を送信するステップに先立って、乱数に基づいて文字列を発生させ、当該文字列を前記申込み文書に含ませるステップと、
前記文字列を所定の記憶装置に記憶するステップと、
前記記憶装置に記憶された文字列を、記憶後所定時間の経過後に削除するステップとをさらに含み、
前記割当てるステップは、
携帯情報端末からメッセージを受け取り、当該メッセージに、前記所定の記憶装置に記憶された文字列のいずれかが含まれているか否かを判定するステップと、
前記メッセージに、前記所定の記憶装置に記憶された文字列のいずれかが含まれていると判定されたことに応答して、前記アカウント識別情報により一意に識別される前記アカウントを生成し当該携帯情報端末に割当てるステップとを含む、請求項１〜請求項４のいずれかに記載のサービス提供用サーバコンピュータ。
【請求項６】
前記携帯情報端末装置はコンピュータプログラムを実行可能であり、
前記アカウント識別情報を送信するステップは、
前記携帯情報端末装置において実行されると、前記アカウント識別情報を他の装置に転送する機能を実現するコンピュータプログラムを準備するステップと、
前記コンピュータプログラムを前記携帯情報端末装置に送信するステップとを含む、請求項１〜請求項５のいずれかに記載のサービス提供用サーバコンピュータ。
【請求項７】
以下のプログラムによりプログラムされたサービス提供用サーバコンピュータであって、
前記プログラムは、前記コンピュータにより実行されると以下のステップからなる方法を実行するように当該コンピュータを制御し、前記方法は、
携帯情報端末に対して、ネットワークを介して、所定サービスへの加入申込みのための申込み文書データを送信するステップと、
携帯情報端末から、前記申込み文書データに基づく返信を受信したことに応答して、当該携帯情報端末が前記申込み文書データの送付先の携帯情報端末か否かを識別し、アカウント識別情報により一意に識別されるアカウントを生成し当該携帯情報端末に割当てるステップと、
当該携帯情報端末に対して前記サービスを提供するために必要なアカウント情報を生成するステップと、
前記携帯情報端末において実行されると、アカウント情報を他の装置に転送する機能を実現するコンピュータプログラムを準備するステップと、
前記コンピュータプログラムを、前記携帯情報端末に送信するステップと、
前記コンピュータプログラムを実行した前記携帯情報端末からのアカウント情報の要求に応答して、前記携帯情報端末に割当てられたアカウント情報を前記携帯情報端末に送信するステップと、
前記携帯情報端末と異なる装置から、当該装置の個体識別情報を前記アカウント識別情報に関連付けて受信したことに応答して、前記装置から受信した個体識別情報を、前記装置から受信した前記アカウント識別情報に対応するアカウント情報に格納するステップとを含む、サービス提供用サーバコンピュータ。
【請求項８】
前記他の装置は、録画機能を持つ録画機器であり、前記所定のサービスは、前記携帯情報端末から前記録画機器に対する録画予約である、請求項１〜請求項７のいずれかに記載のサービス提供用サーバコンピュータ。
【請求項９】
前記方法は、前記他の装置が前記サービス提供用サーバコンピュータから提供される前記所定のサービスに基づいて、前記携帯情報端末に対する課金を行なうステップをさらに含む、請求項１〜請求項８のいずれかに記載のサービス提供用サーバコンピュータ。
【請求項１０】
前記方法は、
前記携帯情報端末から、当該携帯情報端末のメールアドレスを受信するステップと、
前記携帯情報端末のメールアドレスを前記アカウント情報に格納するステップと、
前記他の装置から前記他の装置の状態変化を示すメッセージを受信するステップと、
前記他の装置の状態変化を、前記他の装置に対応するアカウントのアカウント情報に含まれるメールアドレスに対して電子メールで送信するステップとをさらに含む、請求項１〜請求項９のいずれか記載のサービス提供用サーバコンピュータ。
【請求項１１】
前記アカウント識別情報は数字のみから生成される、請求項１〜請求項１０のいずれかに記載のサービス提供用サーバコンピュータ。
【請求項１２】
前記方法は、
携帯情報端末からサービス提供の要求を受信したことに応答して、前記アカウント情報を調査し、当該要求に対応できるか否かを判定するステップと、
前記判定するステップによって前記要求に対応できないと判定されたことに応答して、前記要求を発信した携帯情報端末に対して返信するステップとをさらに含む、請求項１〜請求項１１のいずれかに記載のサービス提供用サーバコンピュータ。
【請求項１３】
前記識別情報は、ネットワークで接続されたサービス提供用サーバコンピュータを識別するための情報を含む、請求項１〜請求項１２のいずれかに記載のサービス提供用サーバコンピュータ。
【請求項１４】
前記方法は、前記割当てるステップにより生成された前記識別情報を所定の識別情報記憶装置に保存するステップをさらに含み、
前記割当てるステップは、携帯情報端末が前記申込み文書データの送付先の携帯情報端末か否かを識別し、前記識別情報記憶装置に存在しないアカウント識別情報により識別されるアカウントを生成し当該携帯情報端末に割当てるステップを含む、請求項１〜請求項１３のいずれかに記載のサービス提供用サーバコンピュータ。
【請求項１５】
前記サービス提供用サーバコンピュータにおいて生成される識別情報は、識別情報の本体と、識別情報の誤り検出情報とを含む、請求項１〜請求項１４のいずれかに記載のサービス提供用サーバコンピュータ。
【手続補正２】
【補正対象書類名】明細書
【補正対象項目名】００１１
【補正方法】変更
【補正の内容】
【００１１】
図４２に、特許文献１に開示されたシステムの概要を示す。図４２を参照して、このシステムは、公衆回線により無線ネットワーク１０５に接続可能な携帯電話９０２と、無線ネットワーク１０５及びネットワーク１０４に接続された電子メールサーバ９００と、ネットワーク１０４を介して電子メールサーバ９００に接続可能な録画機器９０４とを含む。録画機器９０４はリモートコントローラ９０６を有する。録画機器９０４にはＴＶモニタ９０８が接続される。
【手続補正３】
【補正対象書類名】明細書
【補正対象項目名】００１２
【補正方法】変更
【補正の内容】
【００１２】
このようなメールに録画予約命令を含める方式では、携帯電話９０２のユーザは、図４３に示すようなフォーマットで録画機器９０４宛ての電子メールを電子メールサーバ９００に送信する。この電子メールは電子メールサーバ９００に一旦蓄積される。録画機器９０４は、定期的に電子メールサーバ９００の自分専用のメールボックスにアクセスし、この電子メールを読み出す。電子メールが録画予約である場合には、録画機器９０４はその電子メール本文に記載された予約内容にしたがって番組録画の予約処理を実行する。
【手続補正４】
【補正対象書類名】明細書
【補正対象項目名】００１３
【補正方法】変更
【補正の内容】
【００１３】
なお、特許文献１に記載のシステムでは、録画機器９０４が文字放送の受信チューナを備え、文字放送によって受信した番組情報を電子メールで携帯電話９０２に送信する。携帯電話９０２のユーザはこの情報を見て番組予約を行なう。
【手続補正５】
【補正対象書類名】明細書
【補正対象項目名】００１４
【補正方法】変更
【補正の内容】
【００１４】
携帯電話９０２はあくまでもそのユーザ個人のものであるから、このシステムによれば、携帯電話９０２を録画機器９０４に対する個人用のリモートコントローラとして使うことができる。携帯電話は無線ネットワークで電子メールサーバ９００に接続されているため、録画機器９０４のあるリビングルームで携帯電話９０２を操作することもできる。またユーザが携帯電話９０２をもって移動中であっても録画機器９０４を操作することができる。したがって、録画機器９０４を直接操作したり、リモートコントローラ９０６を用いて操作することなく、携帯電話９０２で全て操作できる。
【手続補正６】
【補正対象書類名】明細書
【補正対象項目名】００１５
【補正方法】変更
【補正の内容】
【００１５】
なお、電子メールサーバ９００に加えて、携帯電話９０２に対して番組情報を提供するためのサーバを設けてもよい。この場合、サーバのサービスを携帯電話ブラウザによって利用し、録画機器を制御するには次のようにする。すなわち、まず携帯電話９０２を使用してサーバに接続し、サービスに申込む。サーバはこの申込みに対してユーザ専用のログイン用ＵＲＬ（Ｕｎｉｆｏｒｍ  Ｒｅｓｏｕｒｃｅ  Ｌｏｃａｔｏｒ）等の認証用情報を作成し、携帯電話９０２に送信する。携帯電話はこの認証用情報を取得し、以後のサーバアクセスにはそのＵＲＬを利用する。これにより、サーバは携帯電話９０２のユーザを識別できる。
【手続補正７】
【補正対象書類名】明細書
【補正対象項目名】００１６
【補正方法】変更
【補正の内容】
【００１６】
このようにしてサーバのサービスが携帯電話から利用可能となれば、次に録画機器９０４とサーバのサービスとを結びつける必要がある。このためには、該当携帯電話９０２で操作可能なサービスの接続管理情報を、録画機器９０４に設定しなければならない。この接続管理情報として、例えば電子メールサーバ９００のサーバアドレス、録画機器９０４が電子メールサーバ９００をアクセスする場合のアカウント情報などを設定しなければならない。
【手続補正８】
【補正対象書類名】明細書
【補正対象項目名】００２１
【補正方法】変更
【補正の内容】
【００２１】
この手順はサービスを利用する上で煩雑であり、間違いがおきやすい。通常、録画機器９０４を操作する場合、リモートコントローラ９０６を入力手段とし、ＴＶモニタ９０８の画面を表示部としている。そのため、サーバ９００の携帯電話サービスを関連づけて録画機器に登録する設定項目が多岐にわたると、設定作業が困難である。
【手続補正９】
【補正対象書類名】明細書
【補正対象項目名】００２３
【補正方法】変更
【補正の内容】
【００２３】
これら情報は録画機器だけでなくネットワークの仕組みについてある程度の知識がなければ正確に管理することが難しく、そもそもそうした情報をユーザが調査することも難しい。また仮にそれらの情報が全て手元に揃ったとしても、それを正しく録画機器９０４に設定することは決して容易ではない。特にパスワード等の入力時には、画面は非表示とされることが通常であるから、入力誤りのチェックは困難である。設定すべき情報が多岐にわたるので、仮に入力誤りがあり録画予約が行なえない場合、どこで誤ったかを突き止めるのも困難である。
【手続補正１０】
【補正対象書類名】明細書
【補正対象項目名】００２５
【補正方法】変更
【補正の内容】
【００２５】
さらに、特許文献１に開示の技術では、ある録画機器に対する複数の録画予約によって同じ時刻に別のチャンネルの番組を録画する場合、当該録画機器が有するチューナ数が足りないと、録画予約できないという問題がある。こうした場合でも可能な限り番組予約を生かして、番組を録画できるようにすることが望ましい。
【手続補正１１】
【補正対象書類名】明細書
【補正対象項目名】００４１
【補正方法】変更
【補正の内容】
【００４１】
さらに好ましくは、携帯情報端末装置はコンピュータプログラムを実行可能であり、アカウント識別情報を送信するステップは、携帯情報端末装置において実行されると、アカウント識別情報を他の装置に転送する機能を実現するコンピュータプログラムを準備するステップと、コンピュータプログラムを携帯情報端末装置に送信するステップとを含む。
【手続補正１２】
【補正対象書類名】明細書
【補正対象項目名】００４３
【補正方法】変更
【補正の内容】
【００４３】
本発明の他の局面にかかるサービス提供用サーバコンピュータは、以下のプログラムによりプログラムされたものである。このプログラムは、コンピュータにより実行されると以下のステップからなる方法を実行するように当該コンピュータを制御する。その方法は、携帯情報端末に対して、ネットワークを介して、所定サービスへの加入申込みのための申込み文書データを送信するステップと、携帯情報端末から、申込み文書データに基づく返信を受信したことに応答して、当該携帯情報端末が申込み文書データの送付先の携帯情報端末か否かを識別し、アカウント識別情報により一意に識別されるアカウントを生成し当該携帯情報端末に割当てるステップと、当該携帯情報端末に対してサービスを提供するために必要なアカウント情報を生成するステップと、携帯情報端末において実行されると、アカウント情報を他の装置に転送する機能を実現するコンピュータプログラムを準備するステップと、コンピュータプログラムを、携帯情報端末に送信するステップと、コンピュータプログラムを実行した携帯情報端末からのアカウント情報の要求に応答して、携帯情報端末に割当てられたアカウント情報を携帯情報端末に送信するステップと、携帯情報端末と異なる装置から、当該装置の個体識別情報をアカウント識別情報に関連付けて受信したことに応答して、装置から受信した個体識別情報を、上記した他の装置から受信したアカウント識別情報に対応するアカウント情報に格納するステップとを含む。
【手続補正１３】
【補正対象書類名】明細書
【補正対象項目名】００７４
【補正方法】変更
【補正の内容】
【００７４】
図２に、システム加入時のシステム１００の動作の概略を示す。図２を参照して、最初に、番組情報サービスプロバイダサーバ１０２は後述するようにＷＷＷサーバを持ち、携帯電話１１２のブラウザに対してサービス申込み画面（図示せず）を提供することができる。このためには例えば、携帯電話から所定のＵＲＬ（ｈｔｔｐ：／／ＥＰＧｓｅｒｖｉｃｅ／ｌｏｇｉｎ／）にアクセスする。このとき、携帯電話でユーザが携帯電話キャリアの提示する課金条件画面に暗証番号を入力して有料サービスに加入することに同意するステップを設けてもよい。
【手続補正１４】
【補正対象書類名】明細書
【補正対象項目名】００８１
【補正方法】変更
【補正の内容】
【００８１】
録画機器１０６は、定期的に番組情報サービスプロバイダサーバ１０２の自分のメールボックスをアクセスし（１８０）、電子メールが着信しているか否かを調べる。録画予約の電子メールが着信している場合、録画機器１０６はその内容にしたがって録画予約をする。録画機器１０６はさらに、録画予約を完了した旨を示す携帯電話１１２宛ての電子メールを番組情報サービスプロバイダサーバ１０２のメールサーバに発信する（１８２）。
【手続補正１５】
【補正対象書類名】明細書
【補正対象項目名】００８６
【補正方法】変更
【補正の内容】
【００８６】
図５に示す各部のうち、無線ネットワークＩ／Ｏ２２０及びＩｒ送受信部２１８が図４のネットワークＩ／Ｆ部１９２に相当する。また不揮発メモリ２２２及びＣＰＵ２１２が図４のＨＴＭＬブラウザ部１９４及びメール送受信部１９８に相当する。図５のメモリ２１４が図４のＵＲＬ記億部１９６及びメール記憶部２００に相当する。さらに、図５の表示部２１６及びキー入力部２２４がそれぞれ図４の表示部２０２及びキー入力部１９０に相当する。
【手続補正１６】
【補正対象書類名】明細書
【補正対象項目名】０１０１
【補正方法】変更
【補正の内容】
【０１０１】
その他、本実施の形態では、図７のアカウント情報構造体は、このサービスを識別するための文字列をサービス名として含む。また、アカウント情報構造体が、サーバのサービスを識別する画像へのＵＲＬアドレスを含んでいてもよい。図７の例では“テレビナビゲーション”という文字列がサービス名を表している。
【手続補正１７】
【補正対象書類名】明細書
【補正対象項目名】０１０６
【補正方法】変更
【補正の内容】
【０１０６】
サービスプロバイダ識別番号はサーバの最大数を１００としてその区別のための番号である。サービスプロバイダ識別番号は統一された機関により各サービスプロバイダ業者に割当てられるものとする。録画機器１０６は、サービスプロバイダ番号からサービスプロバイダのサーバのＤＮＳ（Ｄｏｍａｉｎ  Ｎａｍｅ  Ｓｅｒｖｉｃｅ）名に変換するテーブルを内蔵しているものとする。
【手続補正１８】
【補正対象書類名】明細書
【補正対象項目名】０１０９
【補正方法】変更
【補正の内容】
【０１０９】
図６に示す番組情報サービスプロバイダサーバ１０２がサービス申込みのために用意したＨＴＭＬ文書の例を図８に示す。図８を参照して、このＨＴＭＬ文書には、電子メールプログラムを起動するためのタグである「ｍａｉｌｔｏ」が含まれている。この文書は、ユーザからの申込みがこのＨＴＭＬ文書からの電子メール送信で行なわれることを期待しているものである。
【手続補正１９】
【補正対象書類名】明細書
【補正対象項目名】０１１５
【補正方法】変更
【補正の内容】
【０１１５】
図１０を参照して、番組情報サービスプロバイダサーバ１０２は、インターネットサービスを行なうサーバとして標準的な構成を有する。すなわち、番組情報サービスプロバイダサーバ１０２は、バス３００を中心として、いずれもバス３００に接続されたＣＰＵ３０２、メモリ３０４、ネットワークＩ／Ｏ３０６、及びストレージＩ／Ｏ３０８を含む。番組情報サービスプロバイダサーバ１０２はさらに、ストレージＩ／Ｏ３０８を介してバス３００に接続されるハードディスク３１０を含む。
【手続補正２０】
【補正対象書類名】明細書
【補正対象項目名】０１３９
【補正方法】変更
【補正の内容】
【０１３９】
図１８に示す表示部４８６は図１７の表示管理部４４８に相当する。Ｉｒ送受信部４８８は図１７のリモコン管理部４６６及びＩｒＤＡ管理部４６８に相当する。ビデオエンコーダ・デコーダ部４９４は図１７のビデオエンコーダ・デコーダ部４４４に相当する。チューナ部４９６は図１７の放送受信部４４２に相当する。さらに、メモリ４８４及びハードディスク４９８が、録画済ビデオデータ蓄積部４４６、番組情報サービスサーバＤＢ４５８、録画予約ＤＢ４５４、及びアカウント情報記憶部４７０に相当する。
【手続補正２１】
【補正対象書類名】明細書
【補正対象項目名】０１４７
【補正方法】変更
【補正の内容】
【０１４７】
再び図２０を参照して、ステップ５１２では、フォーカスのあたっているアカウントで入力待ちの状態となる。何か入力がされると、ステップ５１４でアカウント番号入力が完了したか否かを判定する。完了した場合には制御はステップ５１６に進む。さもなければ制御はステップ５１２に戻る。
【手続補正２２】
【補正対象書類名】明細書
【補正対象項目名】０１５６
【補正方法】変更
【補正の内容】
【０１５６】
この手順において、アカウント番号以外に録画機器の個体識別情報をサーバ１０２の録画機器管理部２４４に送っている。このため録画機器管理部２４４は、以後の制御において録画機器１０６の機種依存機能を利用した録画制御を行うことができる利点がある。例えば、ＭＡＫＥＲ１−ＨＤＤ９０００という製品では画質や音質、記録先（ハードディスクかＤＶＤか）などの選択ができるとすれば、サーバ１０２の録画機器管理部２４４では、携帯電話ブラウザの録画予約画面において画質、音質、記録先の選択肢をユーザに選択させて、それをメール録画予約コマンドに拡張機能として送出することができる。例えば録画予約コマンド「Ｏｐｅｎ ２６４５７５  ＴＶ ＳＣ５０３ １３００ １３３０ １０３１  “ＶＳ Ａ１ ＳＨ”」のように、オプション（“ＶＳ  Ａ１  ＳＨ”の部分）をメール録画予約コマンドに追加すればよい。この例では、オプション“ＶＳ  Ａ１  ＳＨ”は、Ｖｉｄｅｏ画質はＳＰ（高画質モード）、ＡｕｄｉｏはＤ１音質、記録先はハードディスク（Ｈ）を指定している。
【手続補正２３】
【補正対象書類名】明細書
【補正対象項目名】０１６４
【補正方法】変更
【補正の内容】
【０１６４】
ステップ５６２の判定では、メールの本文１行目にメール録画コマンドが記載してあり、“Ｏｐｅｎ”で始まり、録画予約用パスワードが一致し、録画予約時刻に他の予約と重なっておらず、チャンネルも重なっておらず、かつハードディスクの残量が録画に足りていること、または既に同じ番組で予約があること、などの録画条件を満足するか否かについての判定をする。
【手続補正２４】
【補正対象書類名】明細書
【補正対象項目名】０１７１
【補正方法】変更
【補正の内容】
【０１７１】
図２３は、図１７に示す録画予約ＤＢ４５４の構造を示す。図２３を参照して、録画予約ＤＢ４５４は、アカウントごと及び録画予約ごとの録画予約レコード５９０、５９２などを記憶している。本実施の形態では、各レコードは、アカウント番号と、携帯メールアドレスと、録画予約の内容を示す情報（時刻及びチャンネル）と、録画済みか否かを示すフラグとを含む。
【手続補正２５】
【補正対象書類名】明細書
【補正対象項目名】０１８５
【補正方法】変更
【補正の内容】
【０１８５】
‐動作‐
以上において構成を説明したこのシステム１００は以下のように動作する。最初に、ユーザが番組情報サービスプロバイダサーバ１０２のサービスに加入する場合の手順及び各部の動作について説明する。
【手続補正２６】
【補正対象書類名】明細書
【補正対象項目名】０１８６
【補正方法】変更
【補正の内容】
【０１８６】
図２７に、この場合に番組情報サービスプロバイダサーバ１０２、携帯電話１１２、及び録画機器１０６の間で通信される信号ダイアグラムを示す。図２７を参照して、まず最初に、ユーザが携帯電話１１２を用いて番組情報サービスプロバイダサーバ１０２のサービス入口画面にアクセスする（６７０）。番組情報サービスプロバイダサーバ１０２はこのアクセスを処理し、ワンタイム文字列を作成して（６７２）、このワンタイム文字列を含むサービス申込み画面のＨＴＭＬテキストを携帯電話１１２に送信する（６７４）。サービス申込み画面の例を図２８に示す。
【手続補正２７】
【補正対象書類名】明細書
【補正対象項目名】０１９２
【補正方法】変更
【補正の内容】
【０１９２】
アカウント情報を受信した録画機器１０６は、番組情報サービスプロバイダサーバ１０２への接続のために必要なアカウント情報構造体の各項目をこのアカウント情報に基づいて設定する（６９０）。
【手続補正２８】
【補正対象書類名】明細書
【補正対象項目名】０１９５
【補正方法】変更
【補正の内容】
【０１９５】
携帯電話ユーザは、表示された携帯電話ログイン用ＵＲＬを、図４に示す携帯電話１１２のＵＲＬ記億部１９６に記憶しているものとする。サーバ１０２の録画機器管理部２４４はこのＵＲＬのアクセスを受けると、ユーザアカウント管理部２５０を検索し、アカウントが存在するかどうか調べる。存在すれば図３のように携帯電話ユーザ向けにＨＴＭＬブラウザでアクセス可能な番組情報ページを表示する。この携帯電話ログイン用ＵＲＬを知らない他のユーザはこのＵＲＬにアクセスできないので安全である。
【手続補正２９】
【補正対象書類名】明細書
【補正対象項目名】０１９９
【補正方法】変更
【補正の内容】
【０１９９】
操作の具体例を示す。携帯電話ブラウザが番組紹介ページをアクセスし図３の画面１６４を表示する。ユーザが番組リンクをクリックし、表示された録画メール予約リンク［メール録画］をクリックすれば携帯電話ブラウザからは録画予約メール発行要求がサーバ１０２に発行され、サーバ１０２は予め登録された録画メールアドレスに録画予約メール１８０を発行し、メール蓄積部２５６に蓄積される。
【手続補正３０】
【補正対象書類名】明細書
【補正対象項目名】０２０２
【補正方法】変更
【補正の内容】
【０２０２】
録画機器は以下のようにしてメール読み出しを行なう。図３の録画機器１０６は、特定のサーバ１０２のメールアカウントに対しメール読出しを定期的に行う。読出したメールの文に録画命令が記述してあれば、録画機器１０６は録画命令通りの時刻から、指定時間分、特定チャンネルに対してチューニングして録画を行なう。
【手続補正３１】
【補正対象書類名】明細書
【補正対象項目名】０２０８
【補正方法】変更
【補正の内容】
【０２０８】
サーバの負荷分散のためタイマ起動時刻を次のように設定することもできる。録画機器１０６のタイマ時刻は、サービス側の録画機器管理部２４４（図６）に設定を保持し、ＰＯＰ接続時に取得するようにして、随時サービス側から変更できるように実装してもよい。これにより、番組情報サービスプロバイダサーバ１０２の負荷分散を図ることや、ユーザ毎の望む時間に起動することができる利点がある。
【手続補正３２】
【補正対象書類名】明細書
【補正対象項目名】０２１１
【補正方法】変更
【補正の内容】
【０２１１】
同じアカウントが複数の録画機器に設定されていてもＰＯＰサーバはそのプロトコルの性質により、同じメールアカウントでは同時にログインすることはできず排他制御される。したがって、複数の録画機器から同じメールアカウントを読出すことが可能である。これにより同じアカウントで複数の録画機器を制御でき、録画予約はいずれか一台の録画機器で予約が成功するよう処理される。録画機器全体としてのハードディスクの効率的な利用や、同時に異なるチャンネルの番組を録画できるなどの利点がある。この詳細は後述する。
【手続補正３３】
【補正対象書類名】明細書
【補正対象項目名】０２２０
【補正方法】変更
【補正の内容】
【０２２０】
このとき、録画機器の個体識別情報をメールに付加して通知してもよい。この場合、サーバはどの録画機器で録画成功したか認識できる。したがってサーバは、個体識別情報をもとに、複数の携帯電話からの録画予約状況全般を録画機器単位で集約的に把握でき、録画予約状況を個別の携帯に通知できる利点がある。例えば二つの携帯電話からのアカウントによる録画予約がサーバに集約管理されることで、一方のアカウントのユーザは、他方のアカウントのユーザの録画予約状況も含めて携帯電話で確認できる。
【手続補正３４】
【補正対象書類名】明細書
【補正対象項目名】０２２２
【補正方法】変更
【補正の内容】
【０２２２】
録画機器１０６からサーバ１０２への予約情報の送信には、予約の削除やリモコン操作による予約情報も含めてよい。この場合サーバ側は、録画機器の予約状況を完全に把握できる。サーバ１０２が録画機器の予約状況を完全に把握できていれば、携帯電話からチャンネルが異なるのに録画時間が重なっている予約をいれようとした場合にエラー表示できるなどの利点がある。
【手続補正３５】
【補正対象書類名】明細書
【補正対象項目名】０２２３
【補正方法】変更
【補正の内容】
【０２２３】
録画予約は以下のように処理される。図１７に示すタイマ部４６２が録画予約時間になると録画管理部４５０を起動し、放送受信部４４２のチャンネルを制御して、ビデオエンコーダ・デコーダ部４４４を制御して録画ビデオデータを作成する。録画管理部４５０は、録画予約ＤＢ４５４にてアカウント情報と関連付けられた予約情報の録画済フラグをオンにする。
【手続補正３６】
【補正対象書類名】明細書
【補正対象項目名】０２２４
【補正方法】変更
【補正の内容】
【０２２４】
さらに本実施の形態において、複数の携帯電話がそれぞれサーバに申し込みをし、得たアカウント番号を１台の録画機器に登録しておけば、図３３に示すように一台の録画機器１０６に対して複数の携帯電話１１２Ａ、１１２Ｂからそれぞれ録画予約操作できる。したがって１台の録画機器１０６を家族で各自の保有する携帯電話を使ってそれぞれのアカウントをサーバに作成し、録画予約を入れることが簡単にできる。
【手続補正３７】
【補正対象書類名】明細書
【補正対象項目名】０２３２
【補正方法】変更
【補正の内容】
【０２３２】
図３２を参照して、このシステムは、ＴＶモニタ１１０が接続され、リモートコントローラ１０８を持つ録画機器１０６を含む。録画機器１０６はネットワーク１０４に接続可能である。このシステムはさらに、いずれもネットワーク１０４を介して録画機器１０６と通信可能な二つの番組情報サービスプロバイダサーバ１０２Ａ及び１０２Ｂと、番組情報サービスプロバイダサーバ１０２Ａを利用するユーザの携帯電話１１２Ａと、番組情報サービスプロバイダサーバ１０２Ｂを利用するユーザの携帯電話１１２Ｂとを含む。携帯電話１１２Ａ及び１１２Ｂは、無線ネットワーク１０５を介してそれぞれ番組情報サービスプロバイダサーバ１０２Ａ、１０２Ｂと通信可能とする。
【手続補正３８】
【補正対象書類名】明細書
【補正対象項目名】０２４０
【補正方法】変更
【補正の内容】
【０２４０】
また、同一の録画機器１０６と関連付けられた複数の携帯電話１１２について、それらに対応するアカウント情報と録画予約レコードとを抽出できる。したがって、図３３の携帯電話１１２Ａの表示画面に示すように、あるアカウントのユーザの録画予約状況だけではなく、例えば図３３の「他のユーザの録画予約」リンクを設け、このリンクをクリックすることで、このアカウントと同じ録画機器を使用する別のユーザによる録画予約状況を表示することも容易に実現できる。
【手続補正３９】
【補正対象書類名】明細書
【補正対象項目名】０２４１
【補正方法】変更
【補正の内容】
【０２４１】
さらに、本実施の形態に係る番組情報サービスプロバイダサーバ１０２、録画機器１０６及び携帯電話１１２によれば、番組情報サービスプロバイダサーバ１０２の録画予約レコードにはアカウント番号が含まれる。したがって、複数台の録画機器１０６を、１台の携帯電話１１２に対応するアカウントにより制御できる。
【手続補正４０】
【補正対象書類名】明細書
【補正対象項目名】０２４３
【補正方法】変更
【補正の内容】
【０２４３】
例えば、図３５に示すように、システムが複数の録画機器１０６Ａ及び１０６Ｂを含み、これらを制御するための複数の携帯電話１１２Ａ及び１１２Ｂが使用されるものとする。録画機器１０６Ａ及び１０６Ｂの双方にアカウント番号「３２５９  １１３１  １３２４ ４１４０」と「３２１４  ０９３８  ２３２１  ４５４７」とが登録されているものとする。このうち前者は携帯電話１１２Ｂに対応するものであり、後者は携帯電話１１２Ａに対応するものとする。
【手続補正４１】
【補正対象書類名】明細書
【補正対象項目名】０２５２
【補正方法】変更
【補正の内容】
【０２５２】
なお、本実施の形態では、サービス名フィールドは文字列であるものとする。しかし本発明はそのような実施の形態に限定されるわけではなく、これをネットワーク上の画像の所在を示すＵＲＬで置き換えてもよい。または、サービス名に加えサービス用画像というフィールドを図７に示すアカウント情報に追加してもよい。サービス用画像フィールドは画像を示すＵＲＬ文字列であるので、録画予約データを表示する際にサービス用画像を付随させて表示することにより、録画予約データのカテゴリの識別を容易にすることができる。
【手続補正４２】
【補正対象書類名】明細書
【補正対象項目名】０２５５
【補正方法】変更
【補正の内容】
【０２５５】
図３７に、アカウント情報のうち録画メールアドレスと録画予約用パスワードとを携帯電話１１２の画面７９６に表示した例を示す。この情報は、携帯電話１１２にアカウント情報要求の画面７９０を表示させ、「はい」の部分をクリックすることにより、アカウント情報の要求７９２が番組情報サービスプロバイダサーバ１０２に送られる。番組情報サービスプロバイダサーバ１０２は、この要求に応答して、アカウント情報７９４を携帯電話１１２に返信する。携帯電話１１２がこのアカウント情報を画面７９６として表示する。
【手続補正４３】
【補正対象書類名】明細書
【補正対象項目名】０２５７
【補正方法】変更
【補正の内容】
【０２５７】
このように、要求に応じて番組情報サービスプロバイダサーバ１０２が携帯電話１１２に対してアカウント情報を送信し表示させることで、操作機器として携帯電話以外のもの、例えばパーソナルコンピュータ７９８を使用することができる。例えばパーソナルコンピュータ用のログイン画面８０６を番組情報サービスプロバイダサーバ１０２で準備しパソコン７９８に送信し（８１４）表示させる。パーソナルコンピュータ７９８から上記アカウント情報のうち録画メールアカウントと録画予約用パスワードをログイン名フィールド８１０及びパスワードフィールド８１２に入力しサーバ１０２に送信（８１６）する。これにより、サーバ１０２のＷＥＢ版番組情報サービスにパーソナルコンピュータ７９８からログインするようにできる。その結果、パーソナルコンピュータ７９８の画面にログイン後の画面８２０が表示される。
【手続補正４４】
【補正対象書類名】明細書
【補正対象項目名】０２５８
【補正方法】変更
【補正の内容】
【０２５８】
録画メールアカウント名と録画メールパスワードによりアカウント情報が特定され、録画予約用パスワード、録画予約メールアドレス及びＰＯＰ／ＳＭＴＰメールサーバも特定される。したがってユーザはパーソナルコンピュータ７９８を介してＨＴＭＬ番組表から携帯電話同様録画予約メールを発行することも可能になる。図３７の画面８２０に表示された『メール録画予約』をクリックすると、携帯電話による操作時と同様、録画予約メールがパーソナルコンピュータ７９８からサーバ１０２のメールサーバ部に送信される（８１８）。このメールはさらに、録画機器１０６による録画予約メールのチェック時に、録画機器１０６に送信される（８２０）。
【手続補正４５】
【補正対象書類名】明細書
【補正対象項目名】０２６７
【補正方法】変更
【補正の内容】
【０２６７】
本実施の形態によると、さらに以下のような波及効果が得られる。すなわち、携帯電話によるウェブブラウザでは、携帯網側で用意された認証システムを利用して有料サービスに加入できる。有料サービスのサーバは携帯網のゲートウェイ管理者と契約すればよい。このアカウントは、携帯電話に対するサーバのサービスを起点にしており、番組情報サービスが有料サービスであれば、本実施の形態により開示された簡単な手順により、その有料サービスを録画機器で受けることが可能になる。
価格の異なるサービスが同一のサーバコンピュータで行われていても、本実施の形態の方法で携帯電話からそれぞれの有料サービスに加入し、アカウント番号を録画機器に入力することで、そのサービスを簡単に録画機器１０６で受けられる。したがって録画機器１０６には何らの課金機構もいらない。
【手続補正４６】
【補正対象書類名】明細書
【補正対象項目名】０２８１
【補正方法】変更
【補正の内容】
【０２８１】
以上の実施の形態２にかかるシステムによれば、番組情報サービスプロバイダサーバ１０２で準備したプログラムを用いて、アカウント情報を携帯電話１１２から録画機器１０６に自動的に転送し、設定することができる。ユーザが目視でアカウント番号を録画機器１０６に入力する必要はない。そのため、ユーザにとってはより簡単な処理でアカウント番号を録画機器１０６に設定できる。アカウント情報自体も番組情報サービスプロバイダサーバ１０２から携帯電話１１２を介して録画機器１０６に転送されるため、アカウント情報に誤りが生ずることもない。さらに、最終的に録画機器１０６から番組情報サービスプロバイダサーバ１０２に対してアカウント情報登録完了の通知がされるため、録画機器１０６にアカウント情報が登録されたことについて、番組情報サービスプロバイダサーバ１０２が容易に確認できる。
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【手続補正４７】
【補正対象書類名】明細書
【補正対象項目名】０２８２
【補正方法】変更
【補正の内容】
【０２８２】
【図１】この発明の実施の形態１にかかるシステム１００の概略を示す図である。
【図２】実施の形態１にかかるシステム１００の、サービス加入時の概略動作を示す図である。
【図３】実施の形態１にかかるシステム１００の、録画予約時の概略動作を示す図である。
【図４】携帯電話１１２の機能ブロック図である。
【図５】携帯電話１１２のハードウェアブロック図である。
【図６】番組情報サービスプロバイダサーバ１０２の機能ブロック図である。
【図７】アカウント情報２８０の構成を示す図である。
【図８】サービス申込みＨＴＭＬテキストを示す図である。
【図９】専用ＵＲＬ通知メールを示す図である。
【図１０】番組情報サービスプロバイダサーバ１０２のハードウェアブロック図である。
【図１１】番組情報サービスプロバイダサーバ１０２において実行される、サービス入口画面へのアクセスがあったときの処理のフローチャートである。
【図１２】アカウント通知画面を示す図である。
【図１３】番組情報サービスプロバイダサーバ１０２においてサービス申込みを行なうために実行されるプログラムのフローチャートである。
【図１４】番組情報サービスプロバイダサーバ１０２においてアカウント番号通知要求を受信したときに実行されるプログラムのフローチャートである。
【図１５】番組情報サービスプロバイダサーバ１０２においてアカウント情報取得要求を受信したときに実行されるプログラムのフローチャートである。
【図１６】番組情報サービスプロバイダサーバ１０２において、ユーザログイン専用画面へのアクセスがあったときに実行されるプログラムのフローチャートである。
【図１７】録画機器１０６の機能ブロック図である。
【図１８】録画機器１０６のハードウェアブロック図である。
【図１９】番組情報サービスサーバＤＢ４５８の構成を示す図である。
【図２０】録画機器１０６においてアカウント情報設定を行なう際に実行されるプログラムのフローチャートである。
【図２１】録画機器１０６のアカウント設定画面を示す図である。
【図２２】録画機器１０６において録画予約を実行するためのプログラムのフローチャートである。
【図２３】録画予約ＤＢ４５４の構成を示す図である。
【図２４】録画機器１０６において、録画済一覧を表示する際に実行されるプログラムのフローチャートである。
【図２５】録画予約一覧表示の例を示す図である。
【図２６】録画予約一覧表示の例を示す図である。
【図２７】実施の形態１に係るシステムの、サービス加入時の通信を示すダイアグラムである。
【図２８】サービス申込み画面の一例を示す図である。
【図２９】サービス申込み通知メールの内容を示す図である。
【図３０】アカウント情報構造体の一例を示す図である。
【図３１】アカウント情報構造体の他の一例を示す図である。
【図３２】実施の形態１に係るシステムで、一つの録画機器１０６を複数の番組情報サービスプロバイダサーバを経由して複数の携帯電話で制御できることを示す図である。
【図３３】実施の形態１に係るシステムで、一つの録画機器１０６を一つの番組情報サービスプロバイダサーバを経由して複数の携帯電話を用い、複数のユーザで共有できることを示す図である。
【図３４】録画予約ＤＢ部２４６の構成を説明するための図である。
【図３５】複数の録画機器を一つの番組情報サービスプロバイダサーバを経由して複数の携帯電話で制御可能なことを示す図である。
【図３６】一つの録画機器及び携帯電話を用い、複数の番組情報サービスプロバイダを利用可能なことを示す図である。
【図３７】実施の形態１に係るシステムで、携帯電話ではなく、パーソナルコンピュータを用いて録画予約サービスを利用可能なことを示す図である。
【図３８】録画予約完了の確認メールの表示例を示す図である。
【図３９】本発明の実施の形態２にかかるシステムの構成を示す図である。
【図４０】実施の形態２にかかるシステムにおいて、携帯電話１１２で実行されるアカウント情報設定のためのプログラムのフローチャートである。
【図４１】番組情報サービスプロバイダサーバ１０２から携帯電話１１２にダウンロードされて実行され、アカウント情報を携帯電話１１２を経由して番組情報サービスプロバイダサーバ１０２から録画機器１０６に転送するためのプログラムのフローチャートである。
【図４２】従来のシステムの構成を示す図である。
【図４３】従来のシステムでの録画予約メールの一例を示す図である。
【手続補正４８】
【補正対象書類名】図面
【補正対象項目名】図２
【補正方法】変更
【補正の内容】
【図２】
2005202536.tif 000001
【手続補正４９】
【補正対象書類名】図面
【補正対象項目名】図３
【補正方法】変更
【補正の内容】
【図３】
2005202536.tif 000002
【手続補正５０】
【補正対象書類名】図面
【補正対象項目名】図１７
【補正方法】変更
【補正の内容】
【図１７】
2005202536.tif 000003
【手続補正５１】
【補正対象書類名】図面
【補正対象項目名】図２２
【補正方法】変更
【補正の内容】
【図２２】
2005202536.tif 000004
【手続補正５２】
【補正対象書類名】図面
【補正対象項目名】図２４
【補正方法】変更
【補正の内容】
【図２４】
2005202536.tif 000005
【手続補正５３】
【補正対象書類名】図面
【補正対象項目名】図２５
【補正方法】変更
【補正の内容】
【図２５】
2005202536.tif 000006
【手続補正５４】
【補正対象書類名】図面
【補正対象項目名】図２６
【補正方法】変更
【補正の内容】
【図２６】
2005202536.tif 000007